(57)【要約】【課題】一対の挟圧部材の開口状態に置いて、待機することになり、動物が踏板部材上の餌を求めて踏板部材上に乗り上がると、係止部材の先端部はラッチ部から離脱し、この離脱により一対の挟圧部材は板バネ部材のバネ圧力により瞬時に閉口動作し、一対の挟圧部材の対向面間の挟圧部で動物の足が挟圧され、これにより動物を捕獲することがでる。【解決手段】立木、切株Ｗ等に連結される基板部材１に対向面２ｂ間を挟圧部３とする一対の半円弧状の挟圧部材２を開閉自在に設け、一対の挟圧部材を閉口挟圧動作させる略Ｕ状の板バネ部材４を設け、基板部材に踏板部材５を設け、踏板部材にラッチ部７を設け、基板部材にラッチ部に係脱可能な係止部材８を設けてなり、挟圧部となる一対の挟圧部材の対向面間に間隙部Ｒを形成可能な間隙形成部１３を設けてなる。【選択図】図１
0003114160.tif 000002
【実用新案登録請求の範囲】
【請求項１】
立木、切株等に連結される基板部材に対向面間を挟圧部とする一対の半円弧状の挟圧部材を開閉自在に設け、該一対の挟圧部材を閉口挟圧動作させる略Ｕ状の板バネ部材を設け、該基板部材に踏板部材を設け、該踏板部材にラッチ部を設け、該基板部材にラッチ部に係脱可能な係止部材を設けてなり、上記挟圧部となる上記一対の挟圧部材の対向面間に間隙部を形成可能な間隙形成部を設けてなることを特徴とする動物捕獲具。
【請求項２】
上記間隙形成部は一対の凸部からなることを特徴とする請求項１記載の動物捕獲具。
【考案の詳細な説明】
【技術分野】
【０００１】
本考案は例えばオスイタチ、ノウサギ、アナグマ、キツネなどの野生動物を捕獲する際に用いられる動物捕獲具に関するものである。
【背景技術】
【０００２】
従来、この種の動物捕獲具として、くくり罠、はこ罠、とらばさみ、はこおとし、筒式イタチ捕獲器などの各種の構造のものが知られている。
【０００３】
これら構造のうち、とらばさみにあっては、立木、切株等に連結される基板部材に対向面間を挟圧部とする一対の半円弧状の挟圧部材を開閉自在に設け、この一対の挟圧部材を閉口挟圧動作させる略Ｕ状の板バネ部材を設け、基板部材に踏板部材を設け、踏板部材にラッチ部を設け、基板部材にラッチ部に係脱可能な係止部材を設けて構成されている。
【０００４】
しかして、一対の挟圧部材を板バネ部材のバネ圧力に抗して開口し、係止部材をラッチ部に係止することにより一対の挟圧部材を開口待機状態に保持し、動物が踏板部材を踏圧したとすると、係止部材はラッチ部から外れ、一対の挟圧部材は閉口動作し、この閉口動作により動物の足などが一対の挟圧部材の対向面からなる挟圧部により挟圧され、基板部材は立木、切株等に連結されているので、動物を捕獲することになる。
【特許文献１】実開昭６２−１７８８８２号公報
【特許文献２】特開平９−２７５８８０号公報
【特許文献３】特開平５−６４５３６号公報
【特許文献４】特開平６−２６１６６７号公報
【考案の開示】
【考案が解決しようとする課題】
【０００５】
しかしながら上記従来構造の場合、上記挟圧部である一対の挟圧部材の対向面は閉口時に相互に密着する構造となっており、このため、捕獲する動物の足等の挟圧部位に与えるダメージが大きすぎ、必要以上に挟圧することがあるという不都合を有している。
【課題を解決するための手段】
【０００６】
本考案はこれらの不都合を解決することを目的とするもので、本考案のうちで、請求項１記載の考案は、立木、切株等に連結される基板部材に対向面間を挟圧部とする一対の半円弧状の挟圧部材を開閉自在に設け、該一対の挟圧部材を閉口挟圧動作させる略Ｕ状の板バネ部材を設け、該基板部材に踏板部材を設け、該踏板部材にラッチ部を設け、該基板部材にラッチ部に係脱可能な係止部材を設けてなり、上記挟圧部となる上記一対の挟圧部材の対向面間に間隙部を形成可能な間隙形成部を設けてなることを特徴とする動物捕獲具にある。
【０００７】
又、請求項２記載の考案は、上記間隙形成部は一対の凸部からなることを特徴とするものである。
【考案の効果】
【０００８】
本考案は上述の如く、請求項１記載の考案にあっては、一対の挟圧部材の開口状態に置いて、待機することになり、動物が踏板部材上の餌を求めて踏板部材上に乗り上がると、係止部材の先端部はラッチ部から離脱し、この離脱により一対の挟圧部材は板バネ部材のバネ圧力により瞬時に閉口動作し、一対の挟圧部材の対向面間の挟圧部で動物の足が挟圧され、これにより動物を捕獲することができ、この際、上記挟圧部となる上記一対の挟圧部材の対向面間に間隙形成部により間隙部が形成されているので、捕獲する動物の足等を必要以上に挟圧することを抑制することができ、挟圧部位に与えるダメージを極力抑制することができる。
【０００９】
又、請求項２記載の考案にあっては、上記間隙形成部は一対の凸部からなるので、間隙部を容易に形成することができると共に間隙部の大きさを容易に設定することができる。
【考案を実施するための最良の形態】
【００１０】
図１乃至図１０は本考案の実施の形態例を示し、図１乃至図８は第一形態例、図９は第二形態例、図１０は第三形態例である。
【００１１】
図１乃至図８の第一形態例において、１は基板部材であって、長方形板状の基板１ａの両側に立上部１ｂ・１ｂを形成してなる。
【００１２】
２・２は一対の挟圧部材であって、半円弧状に形成され、上記基板部材１の立上部１ｂ・１ｂに枢着孔１ｃ・１ｃを形成し、この枢着孔１ｃ・１ｃに一対の挟圧部材２・２の両端部２ａ・２ａを挿通して挟圧部材２・２を開閉自在に枢着し、一対の挟圧部材２・２の対向面２ｂ・２ｂ間を挟圧部３としている。尚、挟圧部材２・２の布等を巻き付けて動物の足に与えるダメージを一層抑制するようにすることもある。
【００１３】
４は板バネ部材であって、この場合、略Ｕ状の板バネ４ａの両端部に挿通孔４ｂ・４ｂを形成し、上記挟圧部材２・２の両端部２ａ・２ａと枢着孔１ｃ・１ｃとの枢着位置を境にして挿通孔４ｂ・４ｂを立上部１ｂに挿通し、一対の挟圧部材２・２の各一方端部の外面に細狭部２ｃ・２ｃを形成し、基板部材１を地面等に置き、板バネ部材４を足で踏みつけることにより徐々にたわませ、この板バネ部材４をたわませることにより細狭部２ｃ・２ｃと一方の挿通孔４ｂの内周面４ｃ・４ｃとが離反し、一対の挟圧部材２・２の開口動作が可能となり、板バネ部材４の足踏動作を解除すると、たわみのバネ圧力により一対の挟圧部材２・２は瞬時に閉口動作し、一対の挟圧部材２・２の対向面２ｂ・２ｂ間の挟圧部３が閉口動作するように構成している。
【００１４】
５は踏板部材であって、上記基板部材１に取付部材６を固定突設し、取付部材６の中央部に軸部６ａを形成し、軸部６ａにレバー５ａを枢孔５ｂにより枢着し、レバー５ａに踏板５を取り付けて構成している。
【００１５】
７はラッチ部であって、上記踏板部材５のレバー５ａに凹部を形成し、この凹部をラッチ部７としている。
【００１６】
８は係止部材であって、上記基板部材１に取り付けられた取付部材６の端部に係止孔８ａを形成し、係止孔８ａに係止部材８の基端部の折曲部８ｂを枢着し、係止部材８の先端部を上記ラッチ部７に係脱自在に設けて構成している。
【００１７】
９は連繋部材であって、上記板バネ部材４に挿通可能な挿通孔９ａが形成され、連繋部材９に鎖体１０の一方端部を連結し、この鎖体１０の他方端部にリング１１を連結し、リング１１に立木、切株Ｗ等に打ち込み可能な楔部材１２を取り付けて構成している。
【００１８】
１３は間隙形成部であって、この場合、上記一対の挟圧部材２・２の対向面２ｂ・２ｂに凸部１３ａ・１３ａを形成し、この凸部１３ａ・１３ａの相互の衝接により一対の挟圧部材２・２の対向面２ｂ・２ｂ間に間隙部Ｒを形成するように構成している。
【００１９】
この実施の第一形態例は上記構成であるから、図１、図３の閉口状態において、板バネ部材４を足踏動作により徐々にたわませ、この板バネ部材４をたわませることにより細狭部２ｃ・２ｃと一方の挿通孔４ｂの内周面４ｃ・４ｃとが離反し、一対の挟圧部材２・２の開口動作が可能となり、図２、図４の如く、この一対の挟圧部材２・２を開口動作し、係止部材８の先端部をラッチ部７に係止することにより一対の挟圧部材２・２は開口状態を維持することになる。
【００２０】
そして、この一対の挟圧部材２・２の開口状態に置いて、図８の如く、待機することになり、動物が踏板部材５上の餌Ｋを求めて踏板部材５上に乗り上がると、図４から図３の如く、係止部材８の先端部はラッチ部７から離脱し、この離脱により一対の挟圧部材２・２は板バネ部材４のバネ圧力により瞬時に閉口動作し、一対の挟圧部材２・２の対向面２ｂ・２ｂ間の挟圧部３で動物Ｆの足が挟圧され、これにより動物を捕獲することができる。
【００２１】
この際、上記挟圧部３となる上記一対の挟圧部材２・２の対向面２ｂ・２ｂ間に間隙形成部１３により間隙部Ｒが形成されているので、捕獲する動物の足等を必要以上に挟圧することを抑制することができ、挟圧部位に与えるダメージを極力抑制することができる。
【００２２】
又、この場合、上記間隙形成部１３は一対の凸部１３ａ・１３ａからなるので、間隙部Ｒを容易に形成することができると共に間隙部Ｒの大きさを容易に設定することができる。
【００２３】
図９の第二形態例は別例構造を示し、この場合、間隙形成部１３の別例構造を示し、上記第一形態例の間隙形成部１３は、相互に当接する一対の凸部１３ａ・１３ａとなっているが、この場合、一対の凸部１３ａ・１３ａがずれて形成されている。
【００２４】
図１０の第三形態例は別例構造を示し、この場合、上記板バネ部材４を二個使用した耕造となっている。
【００２５】
これら第二、第三形態例にあっても、上記第一形態例と同様な作用効果を得ることができる。
【００２６】
尚、本考案は上記実施の形態例に限られるものではなく、基板部材１、挟圧部材２、挟圧部３、板バネ部材４、ラッチ部７、係止部材８、間隙形成部１３等の構造等は適宜変更して設計されるものである。
【００２７】
以上、所期の目的を充分達成することができる。
【図面の簡単な説明】
【００２８】
【図１】本考案の実施の第一形態例の全体斜視図である。
【図２】本考案の実施の第一形態例の全体斜視図である。
【図３】本考案の実施の第一形態例の部分断面図である。
【図４】本考案の実施の第一形態例の部分断面図である。
【図５】本考案の実施の第一形態例の全体平面図である。
【図６】本考案の実施の第一形態例の全体平面図である。
【図７】本考案の実施の第一形態例の部分側面図である。
【図８】本考案の実施の第一形態例の使用状態図である。
【図９】本考案の実施の第二形態例の部分側面図である。
【図１０】本考案の実施の第三形態例の部分側面図である。
【符号の説明】
【００２９】
Ｒ    間隙部
１    基板部材
２    挟圧部材
３    挟圧部
４    板バネ部材
５    踏板部材
７    ラッチ部
８    係止部材
１３    間隙形成部
【図１】
0003114160.tif 000003
【図２】
0003114160.tif 000004
【図３】
0003114160.tif 000005
【図４】
0003114160.tif 000006
【図５】
0003114160.tif 000007
【図６】
0003114160.tif 000008
【図７】
0003114160.tif 000009
【図８】
0003114160.tif 000010
【図９】
0003114160.tif 000011
【図１０】
0003114160.tif 000012